(57)【要約】【課題】下敷きに載せた光学フィルムを定盤上で移動させるにあたり、移動させるための負荷を軽減することができる光学フィルムの移動機構を提供すること。【解決手段】光学フィルムを樹脂製の下敷きに載せた状態で定盤１の上を所定位置まで移動させ、当該所定位置にて光学フィルムをカッター２により裁断するために用いられる光学フィルムの移動機構であって、定盤１の表面に形成された多数の凹部１ａと、この凹部１ａに収容される回転自在のボール３とを備え、このボール３と下敷きの下面とを点接触させた状態で光学フィルムを移動させるように構成した。【選択図】　　図１
2004043104.tif 000002
【特許請求の範囲】
【請求項１】
光学フィルムを樹脂製の下敷きに載せた状態で定盤の上を所定位置まで移動させ、当該所定位置にて光学フィルムをカッターにより裁断するために用いられる光学フィルムの移動機構であって、
前記定盤の表面に形成された多数の凹部と、
この凹部に収容される回転自在のボールとを備え、
このボールと前記下敷きの下面とを点接触させた状態で光学フィルムを移動させるように構成したことを特徴とする光学フィルムの移動機構。
【請求項２】
光学フィルムを樹脂製の下敷きに載せた状態で定盤の上を所定位置まで移動させ、当該所定位置にて光学フィルムをカッターにより裁断するために用いられる光学フィルムの移動機構であって、
前記定盤の表面に形成された多数の穴部を備え、この穴部から空気を噴出させるように構成したことを特徴とする光学フィルムの移動機構。
【発明の詳細な説明】
【０００１】
【発明の属する技術分野】
本発明は、光学フィルムを樹脂製の下敷きに載せた状態で定盤の上を所定位置まで移動させ、当該所定位置にて光学フィルムをカッターにより裁断するために用いられる光学フィルムの移動機構に関する。
【０００２】
【従来の技術】
光学フィルムを裁断するため、この光学フィルムを樹脂製の下敷きに載せて、定盤の上を移動させる。そして、定盤の上の所定位置まで移動させると、カッターを作動させて光学フィルムを裁断する。
【０００３】
【発明が解決しようとする課題】
ここで、定盤は通常ステンレス鋼製であり、下敷きは通常塩化ビニル製である。そして、定盤の上面（下敷きを移動させる面）は、平坦面であり、定盤の上面と下敷きの下面とが全面的に摩擦により摺動することになる。したがって、この摩擦力のために、光学フィルムを移動させるための負荷が大きくなり、また、所定位置への正確な位置合わせが困難となる。
【０００４】
本発明は上記実情に鑑みてなされたものであり、その課題は、下敷きに載せた光学フィルムを定盤上で移動させるにあたり、移動させるための負荷を軽減することができる光学フィルムの移動機構を提供することである。
【課題を解決するための手段】
上記課題を解決するため本発明に係る光学フィルムの移動機構は、
光学フィルムを樹脂製の下敷きに載せた状態で定盤の上を所定位置まで移動させ、当該所定位置にて光学フィルムをカッターにより裁断するために用いられる光学フィルムの移動機構であって、
前記定盤の表面に形成された多数の凹部と、
この凹部に収容される回転自在のボールとを備え、
このボールと前記下敷きの下面とを点接触させた状態で光学フィルムを移動させるように構成したものがあげられる。
【０００５】
この構成によると、定盤の表面には多数の凹部が形成されており、この凹部にはそれぞれボールが回転自在な状態で収容されている。光学フィルムを移動させる場合は、光学フィルムを載せた下敷きの下面がボールの上に載せられた状態になる。すなわち、　下敷きの下面は直接定盤の表面に接触しない。したがって、光学フィルムを定盤上で移動させると、下敷きの下面に点接触したボールが転動する（転がり接触をする）ことになるので、摩擦力を減らすことができる。その結果、下敷きに載せた光学フィルムを定盤上で移動させるにあたり、移動させるための負荷を軽減することができる光学フィルムの移動機構を提供することができる。
【０００６】
上記課題を解決するため本発明に係る別の光学フィルムの移動機構は、
光学フィルムを樹脂製の下敷きに載せた状態で定盤の上を所定位置まで移動させ、当該所定位置にて光学フィルムをカッターにより裁断するために用いられる光学フィルムの移動機構であって、
前記定盤の表面に形成された多数の穴部を備え、この穴部から空気を噴出させるように構成したものがあげられる。
【０００７】
穴部から空気を噴出させることで、光学フィルムを載せた下敷きが浮き上がろうとする。これにより、下敷きの下面と定盤の表面との間の摩擦力を軽減することができる。その結果、下敷きに載せた光学フィルムを定盤上で移動させるにあたり、移動させるための負荷を軽減することができる光学フィルムの移動機構を提供することができる。
【０００８】
【発明の実施の形態】
本発明に係る光学フィルムの移動機構の好適な実施形態を図面を用いて説明する。図１は、光学フィルムの移動機構の構成を示す平面図である。
【０００９】
図１において、定盤１と光学フィルムをカットするためのカッター機構２が設けられている。定盤１の表面には多数の凹部１ａが形成されている。また、光学フィルムを移動させる方向に沿って一対の溝１ｂが形成されている。この溝１ｂは、光学フィルムと下敷きとを挟持するクランプ機構をガイドするためのものである。定盤１はステンレス製である。
【００１０】
光学フィルムは、塩化ビニル製の下敷きの上に載せられて定盤１の上を移動する。光学フィルムと下敷きとは、クランプ機構によりクランプされるが、そのクランプ機構が一対の溝１ｂによりガイドされるのである。光学フィルムを下敷きの上に載せて、所定位置まで移動させ、その所定位置にて光学フィルムを停止させ、カッター機構２を作動させることで、光学フィルムを裁断することができる。
【００１１】
図２は、光学フィルムをスムーズに移動させるための機構を説明する図である。（ａ）は第１実施形態を示す。定盤１の表面に多数形成された凹部１ａのそれぞれの中にボール３が収容されている。ボール３の頂部がわずかに定盤１の表面上に突出している。したがって、下敷きを定盤上で移動させるときは、下敷きの下面はボール３に点接触し、定盤１には直接接触しない。これにより、光学フィルムを載せた下敷きを、小さな摩擦力で移動させることができる。
【００１２】
（ｂ）は第２実施形態を示す。定盤１の表面には多数の穴部４が形成されており、その穴部４からエアーが常時噴出している。エアーの噴出強さは適宜設定することができる。したがって、下敷きを定盤上で移動させるときは、エアーにより若干浮き上がった状態になるので、光学フィルムを載せた下敷きを小さな摩擦力で移動させることができる。
【００１３】
図３は第３実施形態を示す。定盤の表面には多数の穴部５が形成されており、その穴部５には、ボール６が収容されている。また、ボール６の下方にはばね７が設けられており、ボール６は常に上方に付勢されている。さらに、穴部５の上部には突出部５ａが形成されており、ボール６が定盤の表面から飛び出さないようにしている。（ａ）に示す状態は、ボール６に上方からの負荷が作用していない状態であり、穴部５はボール６でふさがれているため、エアーが噴出していない。そして、（ｂ）に示すように、下敷きＰにより、ボール６が上から押されると、ボール６と穴部５との隙間からエアーが上方に噴出すように構成されている。したがって、下敷きＰを定盤上で移動させると、その重量により、ボール６が下方に押され、エアーが噴出す。これにより、光学フィルムを載せた下敷きは若干浮き上がった状態になり、小さな摩擦力で光学フィルムを移動させることができる。
【００１４】
＜別実施形態＞
光学フィルムとしては、偏光フィルムや位相差フィルム等が例にあげられるが、特定の種類に限定されるものではない。また、下敷きやボールの材料についても特定の材料に限定されるものではない。
【図面の簡単な説明】
【図１】光学フィルムの移動機構の構成を示す平面図
【図２】光学フィルムをスムーズに移動させるための機構を説明する図（第１実施形態及び第２実施形態）
【図３】光学フィルムをスムーズに移動させるための機構を説明する図（第３実施形態）
【符号の説明】
１　　　定盤
１ａ　　凹部
２　　　カッター機構
３　　　ボール
【図１】
2004043104.tif 000003
【図２】
2004043104.tif 000004
【図３】
2004043104.tif 000005